(57)【要約】      （修正有）【課題】着脱の容易性、優しい着用感、鼻の形状に応じた最適なパッド選択性、量産の容易性やそれに伴う廉価な製造コスト、リムに対する安定した固定性能、メガネフレーム全体の印象を変える新たなデザイン面での楽しみ、といった数多くの顕著な特長を有するメガネフレームを提供する。【解決手段】メガネフレームは、レンズを固定するための一対のリム２に着脱可能に固定される一対の鼻パッド３を備えたセルフレーム系のメガネフレームであって、一対のリムそれぞれにはリム側係止部４が設けられ、一対の鼻パッドそれぞれにはリム側係止部に嵌め込み可能なパッド側係止部が設けられたことを特徴とする。【選択図】図１
0003212105.tif 000002
【実用新案登録請求の範囲】
【請求項１】
レンズを固定するための一対のリムに着脱可能に固定される一対の鼻パッドを備えたメガネフレームであって、
上記一対のリムそれぞれにはリム側係止部が設けられ、
上記一対の鼻パッドそれぞれには上記リム側係止部に嵌め込み可能なパッド側係止部が設けられた
ことを特徴とするメガネフレーム。
【請求項２】
上記鼻パッドは、
鼻に当接する鼻当接パッド部と、
上記パッド側係止部と、
を備え、
上記鼻当接パッド部は内孔を有するエラストマー材料で形成され、
上記パッド側係止部は、上記鼻当接パッド部に挿入されている
ことを特徴とする請求項１に記載のメガネフレーム。
【請求項３】
上記鼻当接パッド部はシリコーンである
ことを特徴とする請求項２に記載のメガネフレーム。
【請求項４】
上記パッド側係止部は、上記リム側係止部において、スライドすることにより着脱可能に固定される
ことを特徴とする請求項１から３のいずれかに記載のメガネフレーム。
【請求項５】
上記のスライドの方向は、固定する際において、上記パッド側係止部をメガネフレームの下方から上方に押し上げる方向である
ことを特徴とする請求項４に記載のメガネフレーム。
【考案の詳細な説明】
【技術分野】
【０００１】
本考案は、鼻パッドが交換可能なメガネフレームに関するものである。
【背景技術】
【０００２】
メガネフレームにおいて、鼻パッドは最も汚れやすい部分である。それと同時に、メガネを着用した際には顔の中心付近に位置するため、目立ちやすい部分でもある。したがって、メガネフレームを長期間使用すると、皮脂等により黒ずみや黄ばみが生じ、メガネフレーム全体の美観が損なわれ、ひいては着用者のイメージも損なわれる。また、皮脂や油に埃やゴミが付着し、衛生上の問題も生じる。
【０００３】
特にセルロイドやアセテート等のプラスチック系素材からなるセルフレームの場合、鼻パッドの汚れが、鼻パッド付近のリムにも投影され、一層汚れが目立つ場合もある。
【０００４】
使用者が自分で損壊したパッドを交換することができる眼鏡フレームのパッド結合構造に関しては既に提案がある。このパッド結合構造においては、両リムの内側の対応位置に一体に挿入筒が形成され、該パッドの背面に略Ｚ形の挿入棒が設けられ、該挿入棒の末端が熱可塑性プラスチック皮膜で被覆され、以上の構造により、パッド背面の挿入棒がリムの挿入筒に挿入され、並びに挿入棒末端の熱可塑性プラスチック皮膜が加熱されることにより、該熱可塑性プラスチック皮膜の末端が溶融してリムの挿入筒に固定されることにより、パッドがリムの内側に固定されて、使用者が自分で損壊したパッドを交換することができる（例えば、特許文献１）。
【先行技術文献】
【特許文献】
【０００５】
【特許文献１】実用新案登録第３０７８３８５号
【考案の概要】
【考案が解決しようとする課題】
【０００６】
特許文献１に示された眼鏡フレームのパッド結合構造は、固定するために熱可塑性プラスチック皮膜を溶融することが必要である。したがって、部分的な加熱器が必要であり、また、作業を迅速に行うためにある程度の慣れも必要でもある。
また、メタリックフレームには適用できるが、熱に弱いセルフレームに適用することは困難であった。
【０００７】
本考案は、上記の問題点を解決するためになされたものであり、極めて容易に鼻パッドを交換できるとともに、その他の多くの長所を持つメガネフレームを提供するものである。
【課題を解決するための手段】
【０００８】
請求項１に係るメガネフレームは、
レンズを固定するための一対のリム（２）に着脱可能に固定される一対の鼻パッド（３）を備えたメガネフレーム（１）であって、
上記一対のリム（２）それぞれにはリム側係止部（４）が設けられ、
上記一対の鼻パッド（３）それぞれには上記リム側係止部（４）に嵌め込み可能なパッド側係止部（３ｂ）が設けられた
ことを特徴とする
【０００９】
請求項２に係るメガネフレームは、
上記鼻パッド（３）は、
鼻に当接する鼻当接パッド部（３ａ）と、
上記パッド側係止部（３ｂ）と、
を備え、
上記鼻当接パッド部（３ａ）は内孔を有するエラストマー材料で形成され、
上記パッド側係止部（３ｂ）は、上記鼻当接パッド部（３ａ）に挿入されている
ことを特徴とする
【００１０】
請求項３に係るメガネフレームは、
上記鼻当接パッド部（３ａ）はシリコーンである
ことを特徴とする
【００１１】
請求項４に係るメガネフレームは、
上記パッド側係止部（３ｂ）は、上記リム側係止部（４）において、スライドすることにより着脱可能に固定される
ことを特徴とする。
【００１２】
請求項５に係るメガネフレームは、
上記のスライドの方向は、固定する際において、上記パッド側係止部（３ｂ）をメガネフレームの下方から上方に上げる方向である
ことを特徴とする。
【考案の効果】
【００１３】
本考案に係るメガネフレームは上記のように構成されているので、以下に示す数多くの優れた特長を有している。
まず、鼻パッドをスライドするだけでリムから着脱できるため、交換が極めて容易に行える。特別な器具は不要であり、一般のメガネの使用者が自分自身で行ことができる。初めてであっても、容易に交換することができる。
特に、鼻パッドの汚れが目立ちやすいセルフレームに適した構造である。
【００１４】
また、鼻パッドの鼻に当接するパッド部をエラストマー材料で形成することで、鼻に対する当たりが柔らかくなり、鼻に対する負担が小さい。すなわち、鼻のパット跡軽減効果もあり、優しい着用感のメガネフレームが得られる。特に、エラストマー材料の中でもシリコーンは最も適した材料であり、高い加工性、対候性等を有するとともに、非粘着性を有しているので、鼻にくっつくことが無く、着用感に優れている。
さらに、エストラマ―材料は、成型等により自由な形に形成することができるため、形状や大きさを変えた数種の鼻パッドを用意することができる。鼻の形や大きさは人それぞれであり、着用する人に合った鼻パッドを選択することができる。近年、耳パッドを交換できるイヤホンが広く普及しているが、この種のイヤホンと同様に、最適な鼻パッドを使用者が選択して交換できるメガネフレームを提供することも可能となる。
また、フロント枠の滑りを軽減する効果もある。
【００１５】
鼻パッドを鼻に当接するパッド部とパッド側係止部の２つの部品で構成することで、リムに設けられたリム側係止部に確実に嵌めこみ、安定に固定できる。すなわち、パッド部は鼻に優しいエストラマ―材料を用い、パッド側係止部にはしっかりと固定できる硬質の樹脂材料等を選択できる。
【００１６】
また、鼻に当接するパッド部が内孔を有する構造とし、その内孔にパッド側係止部を挿入する構造とすることで、パッド部とパッド側係止部とがしっかりと固定される。エストラマ―材料の持つ弾性収縮力がパッド側係止部を強く圧迫するためである。
さらに、パッド部内にパッド側係止部が挿入された構造は、二段成型法を用いて、廉価に量産できる。特に、パッド部としてエストラマ―材料を選択した場合、二段成型法により、パッド部が強くパッド側係止部を圧迫する構造が容易に達成できる。
【００１７】
鼻パッドのパッド側係止部とリムに設けられたリム側係止部との嵌合は、スライド式が最適である。スライド式であれば、誰でも簡単に着脱することができる。また、一方向以外の方向に押した場合しか外れないので、外れにくい。
特に、固定する際において、上記パッド側係止部をメガネフレームの下方から上方に押し上げる方向にすれば、最も外れにくい。着用時には、鼻パッドは鼻に押し上げれる方向に力が掛かるため、嵌合が緩んだり外れたりすることは無い。また、メガネを持つ際にも、鼻パッドを押し下げる方向に持つことは滅多に無く、よほど特殊な持ち方をしなければ、鼻パッドが外れることは無い。
【００１８】
鼻パッドをパッド部とパッド側係止部の２つの部品で構成することは、デザイン面でも大きな特長を持っている。例えば、リムが黒色である場合、パッド部を透明に、パッド側係止部を黒色にするのが最も普通の配色である。パッド側係止部はリムと一体化し、目立たない配色になる。一方、パッド側係止部を他の色に、例えば赤色にすると、全く印象の異なるメガネフレームになる。前述したように、メガネを着用した際には鼻パッドは顔の中心付近に位置するため、小さなパッド側係止部であっても、その配色によってメガネフレーム全体の印象を変えることが可能である。色の異なるパッド側係止部を有するいくつかの鼻パッドを持っていれば、それらを交換することで、メガネフレームの印象を変化させることが可能であり、ＴＰＯに応じて、鼻パッドを選択するといった新しいメガネの楽しみ方が生まれる。
【００１９】
以上のように、本考案に係るメガネフレームは、着脱の容易性、優しい着用感、鼻の形状に応じた最適なパッド選択性、量産の容易性やそれに伴う廉価な製造コスト、リムに対する安定した固定性能、メガネフレーム全体の印象を変える新たなデザイン面での楽しみ、といった数多くの顕著な特長を有している。
【図面の簡単な説明】
【００２０】
【図１】本考案に係るメガネフレームの全体図である。
【図２】本考案に係るメガネフレームの部分模式図であり、（ａ）は斜視図、（ｂ）はＡ−Ａ断面図である。
【図３】本考案に係るメガネフレームを構成する鼻パッドの模式図であり、（ａ）は上面図、（ｂ）は側面図である。
【図４】本考案に係るメガネフレームの鼻パッドの取付方法を示す図である。
【考案を実施するための形態】
【００２１】
実施の形態．
以下に、本考案に係るメガネフレームの実施の形態について、図を用いて説明する。なお、以下の実施の形態は、本考案の最適な一例であって、特に本考案をこの一例に限定するものではない。
本考案のメガネフレーム構造は、いわゆるセルフレームに適した構造である。セルフレームとは、セルロイドやアセテート製等のプラスチック系フレームの総称であり、メタルフレームに相対するフレームを意味する。ただし、本考案の構造はセルフレームに限定されるものではなく、同様の構造のメタルフレームや、メタルとプラスチック材料を共に用いたフレームにも適用できる。
【００２２】
＜構成＞
まず、図１から図３を用いて、メガネフレームの構成について説明する。
図１はメガネフレームの全体図である。この図においては、一方の鼻パッド３をリムから外し、リム２に設けられたリム側係止部４の様子を見えるようにしている。
白点線で囲まれたリム側係止部４の拡大図が図２である。すなわち、部分模式図であり、（ａ）はリム側係止部４の斜視図、（ｂ）はＡ−Ａ線を含む垂直方向の断面図である。
図３はメガネフレームを構成する鼻パッドの模式図であり、（ａ）は上面図、（ｂ）は側面図である。
【００２３】
メガネフレーム１は、レンズを固定するための一対のリム２に着脱可能に固定される一対の鼻パッド３を備えたセルフレーム系のメガネフレームである。一対のリム２それぞれにはリム側係止部４が設けられている。一対の鼻パッド３それぞれにはリム側係止部４に嵌め込み可能なパッド側係止部３ｂが設けられている。そして、パッド側係止部３ｂの先端には、出っ張りである係止用バー３ｃが形成されている。
【００２４】
図３に示すように、鼻パッド３の最適な一構成は、鼻に当接する鼻当接パッド部３ａと、パッド側係止部３ｂとを備え、鼻当接パッド部３ａは内孔を有するエラストマー材料で形成され、パッド側係止部３ｂは、鼻当接パッド部３ａに挿入されている、というものである。特に、鼻当接パッド部３ａの構成材料としてシリコーンが最適である。
【００２５】
リム２に設けられたリム側係止部４の構造の一例を図２に示している。２つの溝部４ａを設けることで、鼻パッド３のパッド側係止部３ｂに設けられた２つの係止用バー３ｃとしっかりと嵌め合い、安定した固定構造が可能となる。
それぞれの溝部４ａの中には、その溝の底から少し浮いた高さ位置に、係止用凸部４ｂが設けられている。
【００２６】
＜鼻パッドの着脱＞
次に、鼻パッドの着脱方法について説明する。
図４は、鼻パッドの取付方法を示す図である。鼻パッド３をリム２に設けられたリム側係止部４に取り付ける際には、まず、係止用バー３ｃを溝部４ａに挿入する（図４の（ａ）から（ｂ））。次に、鼻パッド３を図４（ｂ）の白矢印の方向にスライドさせる。そうすると、図４（ｃ）に示すように、係止用バー３ｃが係止用凸部４ｂの下方に嵌り、しっかりと固定される。
【００２７】
鼻パッドを取り外す際には、図４（ａ）から（ｃ）の手順を逆にすれば良い。
以上のように、極めて簡単な手順で、鼻パッドの着脱を行うことができる。
【００２８】
溝部４ａにおける係止用凸部４ｂの位置を変えれば、鼻パッド３のスライド方向を上下逆にすることも可能であるし、横方向にスライドすることも可能である。この中で最も良好なスライド方向は、固定する際において、上記パッド側係止部３ｂをメガネフレームの下方から上方に押し上げる方向である。メガネの一般的な使用方法を考慮すると、固定された鼻パッド３が、最も外れにくいためである。
なお、本実施例においては、リム側係止部４として溝部４を設け、それに出っ張り部である係止用バー３ｃを備えたパッド側係止部３ｂをはめ込む構造としているが、逆の構造であっても良い。すなわち、リム側係止部４に出っ張り部を設け、それに嵌合する形状の溝部をパッド側係止部３ｂに設けても良い。リム側係止部４とパッド側係止部３ｂとは、しっかりと嵌合可能で且つ着脱できる構造であれば、原則としてどのような構造であっても良い。
【００２９】
＜本考案のまとめ＞
メガネは、視力の低下や乱視等を矯正する器具であり、あるいは日光から目を守る保護具である。それと同時に、ファッション性を有する着用物でもある。
したがって、汚れの無い綺麗な状態を保ちたいと考える使用者は多い。しかし、メガネは常に身に着けるものであり、特に鼻に接する鼻パッドは皮脂等により汚れたり、劣化したりしやすい。
【００３０】
鼻パッドを簡単に交換できるメガネフレームがあれば、このような問題を解決できる。本考案は、このようなメガネ着用者の要求に応えるためになされたものである。
以下に、本考案のメガネフレームが示す数多くの優れた特長を示す。
【００３１】
まず、鼻パッドをスライドするだけでリムから着脱できるため、交換が極めて容易に行える。特別な器具は不要であり、一般のメガネの使用者が自分自身で行ことができる。初めてであっても、容易に交換することができる。
特に、鼻パッドの汚れが目立ちやすいセルフレームに適した構造である。
【００３２】
また、鼻パッドの鼻に当接するパッド部をエラストマー材料で形成することで、鼻に対する当たりが柔らかくなり、鼻に対する負担が小さい。すなわち、鼻のパット跡軽減効果もあり、優しい着用感のメガネフレームが得られる。特に、エラストマー材料の中でもシリコーンは最も適した材料であり、高い加工性、対候性等を有するとともに、非粘着性を有しているので、鼻にくっつくことが無く、着用感に優れている。
さらに、エストラマ―材料は、成型等により自由な形に形成することができるため、形状や大きさを変えた数種の鼻パッドを用意することができる。鼻の形や大きさは人それぞれであり、着用する人に合った鼻パッドを選択することができる。近年、耳パッドを交換できるイヤホンが広く普及しているが、この種のイヤホンと同様に、最適な鼻パッドを使用者が選択して交換できるメガネフレームを提供することも可能となる。
また、フロント枠の滑りを軽減する効果もある。
【００３３】
鼻パッドを鼻に当接するパッド部とパッド側係止部の２つの部品で構成することで、リムに設けられたリム側係止部に確実に嵌めこみ、安定に固定できる。すなわち、パッド部は鼻に優しいエストラマ―材料を用い、パッド側係止部にはしっかりと固定できる硬質の樹脂材料等を選択できる。
【００３４】
また、鼻に当接するパッド部が内孔を有する構造とし、その内孔にパッド側係止部を挿入する構造とすることで、パッド部とパッド側係止部とがしっかりと固定される。エストラマ―材料の持つ弾性収縮力がパッド側係止部を強く圧迫するためである。
さらに、パッド部内にパッド側係止部が挿入された構造は、二段成型法を用いて、廉価に量産できる。特に、パッド部としてエストラマ―材料を選択した場合、二段成型法により、パッド部が強くパッド側係止部を圧迫する構造が容易に達成できる。
【００３５】
鼻パッドのパッド側係止部とリムに設けられたリム側係止部との嵌合は、スライド式が最適である。スライド式であれば、誰でも簡単に着脱することができる。また、一方向以外の方向に押した場合しか外れないので、外れにくい。
特に、固定する際において、上記パッド側係止部をメガネフレームの下方から上方に押し上げる方向にすれば、最も外れにくい。着用時には、鼻パッドは鼻に押し上げれる方向に力が掛かるため、嵌合が緩んだり外れたりすることは無い。また、メガネを持つ際にも、鼻パッドを押し下げる方向に持つことは滅多に無く、よほど特殊な持ち方をしなければ、鼻パッドが外れることは無い。
【００３６】
鼻パッドをパッド部とパッド側係止部の２つの部品で構成することは、デザイン面でも大きな特長を持っている。例えば、リムが黒色である場合、パッド部を透明に、パッド側係止部を黒色にするのが最も普通の配色である。パッド側係止部はリムと一体化し、目立たない配色になる。一方、パッド側係止部を他の色に、例えば赤色にすると、全く印象の異なるメガネフレームになる。前述したように、メガネを着用した際には鼻パッドは顔の中心付近に位置するため、小さなパッド側係止部であっても、その配色によってメガネフレーム全体の印象を変えることが可能である。色の異なるパッド側係止部を有するいくつかの鼻パッドを持っていれば、それらを交換することで、メガネフレームの印象を変化させることが可能であり、ＴＰＯに応じて、鼻パッドを選択するといった新しいメガネの楽しみ方が生まれる。
【００３７】
以上のように、本考案に係るメガネフレームは、着脱の容易性、優しい着用感、鼻の形状に応じた最適なパッド選択性、量産の容易性やそれに伴う廉価な製造コスト、リムに対する安定した固定性能、メガネフレーム全体の印象を変える新たなデザイン面での楽しみ、といった数多くの顕著な特長を有している。
【符号の説明】
【００３８】
１  メガネフレーム
２  リム
３  鼻パッド
３ａ  鼻当接パッド部
３ｂ  パッド側係止部
３ｃ  係止用バー
４  リム側係止部
４ａ  溝部
４ｂ  係止用凸部
【図１】
0003212105.tif 000003
【図２】
0003212105.tif 000004
【図３】
0003212105.tif 000005
【図４】
0003212105.tif 000006